(57)【要約】      （修正有）【課題】請求書等コンピュータの可変データを封筒で送付する場合、住所が透けて見える窓あけ封筒の作成、データのプリントアウト（用紙の大きさ、一般的にはＡ４）の用紙の三つ折、投げ込み、封入があり、工程は複雑である。型抜き用紙→印刷→製袋の３工程に簡素化し、コスト低減をはかる。【解決手段】コンピュータに記録された請求書、ドキュメント等の可変情報を含むデータを、折りたたむことによって封筒機能を有する型抜き印刷用紙に印刷する製袋システムであって、型抜き印刷用紙のミシン目と交差する位置に穴を開けることにより、封筒の中身を取り出し易くしたことを特徴とする。【選択図】図２
0003140567.tif 000002
【実用新案登録請求の範囲】
【請求項１】
本考案は、コンピュータ内の請求書、ドキュメント等の可変情報を含んだデータをデジタル印刷した刷本の一部に封筒機能を持たせた製袋システムである。
【請求項２】
本考案の製袋システムは、▲１▼印刷用紙の型抜設計図（図１）、▲２▼型抜きされた用紙の印刷のレイアウト指定▲３▼印刷された用紙の製袋（折り、のりづけ、ミシン目入れの位置指定）と作業手順から構成されている。
【請求項３】
本考案は、印刷効率を上げるため、請求書等の中身と封筒の表面を同一平面とし印刷される折り手順になっている。
【請求項４】
製袋された封筒のサイズは、日本郵政公社の定形郵便（２３５ｍｍ×１２０ｍｍ）以内になっている。中身の大きさはＡ４で長辺を三つ折で封入された状態で完成する。
【請求項５】
本考案の作業手順は、用紙の型抜き→型抜きされた用紙に可変情報デジタル印刷→刷本を製袋機によって、製袋手順に従って、折り、のりづけ、ミシン目を入れて完成する。
【請求項６】
本考案の製袋手順は、製袋機によって連続処理される。
【請求項７】
本考案の製袋手順は（図２）のＡＢにそって山折り（図３−１）→（図４）の斜線部にのりづけ→（図４）のＣＤからＥＦ、ＧＨ、ＩＪにそって巻き三つ折（谷折り）途中図は（図５−１）（図５−２）
（図５）の□ＩＪＫＬがフラップで、本体ＩＪにそってのりづけ→（図６−１）、（図６−２）に示した通りのミシン目入り。
【請求項８】
（図１）に底辺３０ｍｍ、高さ１５ｍｍの二等辺三角形が所定の位置で型抜きされるよう設計されている。これは、製袋手順に従って中身（請求書）の入った封筒が完成されると、この三角形の抜きの部分は、封筒の一部となっている。封筒の端をミシン目にそって切ると、封筒の中には、中身（請求書）と封筒の一部も（図５−１）で示すように、一緒に三つ折されて入っている。封筒を開けて中身（請求書）を引き出す時、封筒の一部は引き出す先端が欠落しているため、中身だけを引き出すことができる。
【考案の詳細な説明】
【技術分野】
【０００１】本考案は、コンピュータより出力する請求書等の可変情報を型抜きされた用紙にデジタル印刷した刷本に封筒機能を持たせたものである。
【背景技術】
【０００２】（１）日本古来から伝わる平面を三次元に変位させる技術の応用である。すなわち、風呂敷、折り紙、和服、帯、扇子のように平面を三次元空間に変位させその利便性、合理性、美装性を付加、追求した応用である。
（２）現行の主たる考えは「封筒と中身は別」の考えである。本考案は、中身の側から考えて作業を簡素化するため中身に封筒機能を付与したものである。
（３）可変情報デジタル印刷機の出現により、コンピュータ内部の可変情報を編集・印刷出来るようになった。
【考案の開示】
【考案が解決しようとする課題】
【０００３】コンピュータ処理されたＡ４大の用紙を定形郵便で発送する場合、現行ではコンピュータ用紙と封筒を別々に考え、住所等が外から見えるように窓あけされた封筒の中へプリントされたコンピュータ用紙を三つ折りして機械等で投げ込み、フラップののりづけをしている。本考案は、窓あけ封筒、中身および三つ折り、投げ込みの不要を目的としている。
【課題を解決する手段】
【０００４】本考案は、コンピュータ内部の可変情報をデジタル印刷機で印刷し、その刷本に封筒機能を付与し封入作業を簡素化した。
【考案の効果】
【０００５】現行の製造・作業手順は▲１▼請求書等中身を入れる窓あき封筒の製造（自社住所等の多面付オフセット印刷→裁断→型抜き→窓フィルム貼り→製袋）▲２▼コンピュータ出力用紙の印刷→データプリント→データプリント用紙を（Ａ４）に三つ折り、窓あけ封筒へ投げ込み、のりづけ。本考案は、用紙型抜き→可変情報デジタル印刷（封筒、中身情報同一平面で印刷）→製袋の３手順に短縮して、コストの削減を実現した。
【考案を実施するための最良形態】
【０００６】個人情報保護のためＰマーク認定作業現場の確保。
予め型抜きされた用紙に、可変情報をデジタル印刷機で印刷し、その刷本を本考案用に改良された製袋機で折り、のりづけ、ミシン目を入れる。
【産業への利用可能性】
【０００７】
【図面の簡単な説明】
【０００８】
【図１】印刷用紙の抜き型寸法の平面図である。
【図２】印刷レイアウトにそってデジタル印刷された刷本の平面図。請求書、あて先、住所、自社名等
【図３−１】〔図２〕を製袋機でＡＢにそって山折りした平面図。
【図３−２】〔図３−１〕の裏の平面図。
【図４】〔図３−１〕にアミふせ部分にのりづけした平面図である。
【図５−１】〔図４〕はＣＤから巻三つ折した１折り目の平面図である。
【図５−２】〔図５−１〕の裏の平面図。
【図６−１】巻三つ折りされてＩＪの位置に（Ｅ）（Ｆ）が一致し、フラップの□ＩＪＫＬはＬＫにそって谷折りされ本体にのりづけ。左側ＩＧから封筒底部から１０ｍｍ巾でミシン目入り。
【図６−２】〔図６−１〕の裏の平面図。
【符号の説明】
１．［図２］のＡＢ右面、中身の請求書（Ａ４に収まる可変情報）。ＡＢ左面、封筒を形成する部分で、たて寸法矢印は巻き３つ折の寸法。
２．［図４］は［図３−１］のＣＤ，ＥＦ，ＧＨ，ＩＪはその寸法で巻三つ折り（谷折り）する。
【図１】
0003140567.tif 000003
【図２】
0003140567.tif 000004
【図３−１】
0003140567.tif 000005
【図３−２】
0003140567.tif 000006
【図４】
0003140567.tif 000007
【図５−１】
0003140567.tif 000008
【図５−２】
0003140567.tif 000009
【図６−１】
0003140567.tif 000010
【図６−２】
0003140567.tif 000011
【手続補正書】
【提出日】平成19年11月21日(2007.11.21)
【手続補正１】
【補正対象書類名】実用新案登録請求の範囲
【補正対象項目名】全文
【補正方法】変更
【補正の内容】
【実用新案登録請求の範囲】
【請求項１】
コンピュータに記録された請求書、ドキュメント等の可変情報を含むデータを、折りたたむことによって封筒機能を有する型抜き印刷用紙に印刷する製袋システムであって、前記型抜き印刷用紙のミシン目と交差する位置に穴を開けることにより、封筒の中身を取り出し易くしたことを特徴とする封筒機能付製袋システム。
【請求項２】
前記型抜き印刷用紙のミシン目と交差する位置に設けられた穴が、三角形であることを特徴とする請求項１に記載の封筒機能付製袋システム。
【手続補正２】
【補正対象書類名】明細書
【補正対象項目名】０００８
【補正方法】変更
【補正の内容】
【０００８】
【図１】本考案に用いる印刷用紙の型抜き平面図である。
【図２】印刷レイアウトにそって請求書、あて先、住所、自社名等がデジタル印刷された刷本の平面図である。
【図３】本考案に用いる型抜き用紙でデジタル印刷された刷本の左側と右側の境目をたてに山折りにした図である。
【図４】本考案を用いて製袋した封筒の完成状態を示す図である。
【手続補正３】
【補正対象書類名】図面
【補正対象項目名】全図
【補正方法】変更
【補正の内容】
【図１】
0003140567.tif 000012
【図２】
0003140567.tif 000013
【図３】
0003140567.tif 000014
【図４】
0003140567.tif 000015
【手続補正書】
【提出日】平成20年1月23日(2008.1.23)
【手続補正１】
【補正対象書類名】実用新案登録請求の範囲
【補正対象項目名】全文
【補正方法】変更
【補正の内容】
【実用新案登録請求の範囲】
【請求項１】
コンピュータに記録された請求書、ドキュメント等の可変情報を含むデータが印刷された型抜印刷用紙からなる封筒であって、
前記型抜き印刷用紙のミシン目と交差する位置に穴を有することを特徴とする封筒。
【請求項２】
前記型抜き印刷用紙のミシン目と交差する位置に設けられた穴が、三角形であることを特徴とする請求項１に記載の封筒。
【手続補正３】
【補正対象書類名】明細書
【補正対象項目名】０００８
【補正方法】変更
【補正の内容】
【０００８】
【図１】本考案に用いる印刷用紙の型抜き平面図である。
【図２】印刷レイアウトにそって請求書、あて先、住所、自社名等がデジタル印刷された刷本の平面図である。
【図３】本考案に用いる型抜き用紙でデジタル印刷された刷本の左側と右側の境目をたてに山折りにした図である。型抜き印刷用紙のミシン目と交差する位置に三角形の穴を開けることにより、封筒の中身が取り出し易くなっている。
【図４】本考案を用いて製袋した封筒の完成状態を示す図である。